(57)【要約】      （修正有）【課題】銃本体に着脱式に取り付けるバッテリーの着脱部分に関する模擬銃におけるバッテリーの着脱装置を提供する。【解決手段】銃本体に着脱式に取り付けるバッテリーの着脱部分に関する装置として、銃本体にバッテリー収容部１８を設けるとともに、その開口部２０の近傍にバッテリー１７を挿入するコネクター端子２１を設置し、バッテリー１７は、バッテリー収容部１８に嵌め込むバッテリー本体部分と、コネクター端子との接続手段であるバッテリー端子２２を有しており、上記接続手段は、バッテリー１７をバッテリー収容部１８に嵌め込んでそのバッテリー端子２２を上記コネクター端子２１に接続したときに、バッテリー１７を機械的に銃本体に接続する弾性保持構造を備えている。【選択図】図３
2010121884.tif 000002
【特許請求の範囲】
【請求項１】
銃本体に着脱式に取り付けるバッテリーの着脱部分に関する装置であって、
銃本体にバッテリー収容部を設けるとともに、バッテリー収容部にバッテリーを挿入する開口部の近傍にコネクター端子を設置し、
バッテリーは、バッテリー収容部に嵌め込むバッテリー本体部分と、コネクター端子との接続手段であるバッテリー端子を有しており、
上記接続手段は、バッテリーをバッテリー収容部に嵌め込んでそのバッテリー端子を上記コネクター端子に接続したときに、バッテリーを機械的に銃本体に接続する弾性保持構造を備えている
模擬銃におけるバッテリーの着脱装置。
【請求項２】
ほぼ三角形の横断面形状を有する銃床の前後方向左右の両側にバッテリー収容部が設けられており、かつ左右のバッテリー収容部は銃床の床尾にバッテリー挿入のための開口部が開口しており、バッテリーは上記左右のバッテリー収容部に収まる左右一対のバッテリーパックを端部において一体に設けた二又状構造を有しており、バッテリー収容部の左右開口部の中間に、コネクター端子を設置する一方、バッテリーの二又状の端部にバッテリー端子を設けた構成を有している請求項１記載の模擬銃におけるバッテリーの着脱装置。
【請求項３】
銃本体のコネクター端子部分と、バッテリー側のバッテリー端子部分において、相互に係合可能な、３対より成る係合片が接続手段として並列して設けられており、その内の中間の１対の係合片はバッテリーを機械的に銃本体に接続する弾性保持構造のみを有し、残る２対の係合片は電気的接続機能を有している請求項１記載の模擬銃におけるバッテリーの着脱装置。
【発明の詳細な説明】
【技術分野】
【０００１】
本発明は、銃本体に着脱式に取り付けるバッテリーの着脱部分に関する模擬銃におけるバッテリーの着脱装置に関するものである。
【背景技術】
【０００２】
模擬銃にバッテリーの収容部の位置を設定する場合、模擬銃が小銃型である場合、銃床つまり一般的にはストックと呼ばれる部分に収容スペースを求めることがあり、それに近い例としては、例えば特表２００７−５０５２８６号がある。しかし同号の場合、グリップの下端部に独立した電源を付けた構造を有しており、この構成を適用する例はごく限定される。
【０００３】
他方、特開平６−２０７７９７号では、小銃のストックの部分に電源を配置した構成が図示されている。しかしながらそれは単なる内部構造の配置を示すに留まっており、電源電池が取り外し可能かどうかに関係した発明ではない。特開２００７−１４９３９６号では、小銃型において電池パックを銃身部に配置した例を示している。
【０００４】
これに対して、ストックと呼ばれる部分の左右にバッテリーを収容する実銃があり、例えばＬＭＴであるとか、ＶＯＬＴＯＲというタイプの銃はストック上部に三角形の横断面になっている。上記のタイプの構造を模した模擬銃の場合、実銃同様にストック上部の三角形の部分にバッテリー収容部を設けようとすると、全く新たにバッテリーの装着法を開発しなければならない。
【０００５】
【特許文献１】特開平６−２０７７９７号
【特許文献２】特表２００７−５０５２８６号
【特許文献３】特開２００７−１４９３９６号
【発明の開示】
【発明が解決しようとする課題】
【０００６】
本発明は前記の実情からなされたもので、その課題は、銃本体に着脱式に取り付けるバッテリーの着脱部分に関する模擬銃におけるバッテリーの着脱装置を提供することである。また、本発明の他の課題は、実銃同様にストック上部の三角形の横断面部分にバッテリー収容部を設けることを可能にする模擬銃におけるバッテリーの着脱装置を提供することである。
【課題を解決するための手段】
【０００７】
前記の課題を解決するため、本発明は、銃本体に着脱式に取り付けるバッテリーの着脱部分に関する装置について、銃本体にバッテリー収容部を設けるとともに、バッテリー収容部にバッテリーを挿入する開口部の近傍にコネクター端子を設置し、バッテリーは、バッテリー収容部に嵌め込むバッテリー本体部分と、コネクター端子との接続手段であるバッテリー端子を有するものとし、上記接続手段は、バッテリーをバッテリー収容部に嵌め込んでそのバッテリー端子を上記コネクター端子に接続したときに、バッテリーを機械的に銃本体に接続する弾性保持構造を備えているものとして構成するという手段を講じたものである。なお、本発明にいうところの銃本体とは、銃身、機関部及びグリップ又は銃床を含む銃全体を指すものとする。
【０００８】
本発明の装置は、銃本体に着脱式に取り付けるバッテリーの着脱部分に関する装置であることを特徴とし、特には、銃本体のストックの部分に仕込むことを可能にしたバッテリーの着脱装置であることを特徴とする。即ち、実銃同様にストック上部のほぼ三角形の横断面部分にバッテリー収容部を設けることを可能にするものである。しかしながら、ストック部分以外のそれと同じような細長い形状の部分、例えばグリップなどにバッテリー収容部を設けることを排除するものではない。
【０００９】
本発明の装置では、銃本体にバッテリー収容部を設けるとともに、バッテリー収容部にバッテリーを挿入する開口部の近傍にコネクター端子を設置する。これによってバッテリー収容部の内部ではなく、入り口付近にコネクター端子を設置することが可能になる。また、バッテリーは、バッテリー収容部に嵌め込むバッテリー本体部分と、コネクター端子との接続手段であるバッテリー端子を有する。バッテリーという場合、単一のバッテリーから成るものと、複数個のバッテリーの集合体から成る、いわゆるバッテリーパックを含む。
【００１０】
本発明において、上記接続手段は、バッテリーをバッテリー収容部に嵌め込んでそのバッテリー端子を上記コネクター端子に接続したときに、バッテリーを機械的に銃本体に接続する弾性保持構造を備えていることが必要である。つまり、バッテリーの電気的接続と機械的接続が、ほぼ同時的に行われる。しかしこのことは、全ての接続手段において、バッテリーの電気的接続と機械的接続が、同時に、実行されなければならないことを意味するのではなく、或る接続手段は電気的接続のみ、また或る接続手段は機械的接続のみを実行するものであっても良い。
【００１１】
即ち、銃本体のコネクター端子部分と、バッテリー側のバッテリー端子部分において、相互に係合可能な、３対より成る係合片が接続手段として並列して設けられており、その内の中間の１対の係合片はバッテリーを機械的に銃本体に接続する弾性保持構造のみを有し、残る２対の係合片は電気的接続機能を有しているという構成を、必要に応じて取ることになる。
【００１２】
本発明は、また、ほぼ三角形の横断面形状を有する銃床の前後方向左右の両側にバッテリー収容部を設け、かつ左右のバッテリー収容部は銃床の床尾にバッテリー挿入のための開口部が開口し、バッテリーは上記左右のバッテリー収容部に収まる左右一対のバッテリーパックを端部において一体に設けた二又状構造を有しており、バッテリー収容部の左右開口部の中間に、コネクター端子を設置する一方、バッテリーの二又状の端部にバッテリー端子を設けた構成を取ることができる。
【００１３】
前述したＬＭＴであるとか、ＶＯＬＴＯＲというタイプの、ストック上部の横断面形状がほぼ三角形の部分を有する銃の構造を模した模擬銃の場合、実銃同様にストック上部の横断面形状がほぼ三角形の部分にバッテリー収容部を設定する必要が生じるが、その要求は上記した本発明の構成によって達成される。
【発明の効果】
【００１４】
本発明は以上のように構成されかつ作用するものであるから、銃身、機関部及び銃床を含む銃本体に着脱式に取り付けるバッテリーの着脱部分に関する模擬銃におけるバッテリーの着脱装置を提供することができるという効果を奏する。また、本発明によれば、実銃同様にストック上部の横断面形状がほぼ三角形の部分にバッテリー収容部を設けることを可能にする模擬銃におけるバッテリーの着脱装置を提供することができる。
【発明を実施するための最良の形態】
【００１５】
以下図示の実施形態を参照して本発明をより詳細に説明する。図１は、本発明に係るバッテリーの着脱装置を搭載した模擬銃を示しており、１０は本発明における銃本体を示すものであって、銃身１１と、内部に組み込まれた機関部としての電動部１２と、ストック１３及びグリップ１４を含んで構成されている。ストック１３は銃床であり、銃本体１０の後部において、長さ調節機構１５を介して設けられている。
【００１６】
電動部１２は、例えばこの模擬銃の場合には、圧縮エアを作り出すピストンシリンダー装置を駆動するモーターを有しており、例えば特開平６−２３５５９７号などに開示されているようにラックアンドピニオン機構を用いてピストンを駆動し、トリガー１２ｔによって動作回路をオンオフする機構を備えている。この例の場合ピストンシリンダー装置のシリンダーノズルから圧縮エアが噴射され、その圧縮エアによって銃身１１の後端に配置されている弾丸が銃口から発射される構成を取る。なお、弾丸はマガジン１６から銃身１１の後端の装弾部に供給される。
【００１７】
上記の電動部１２に必要な電力を供給するための電源として、バッテリー１７を使用する。バッテリー１７を装着するバッテリー収容部１８は、銃本体１０のストック１３に設けられており、図示の例におけるバッテリー収容部１８はＶＯＬＴＯＲ型の銃の外形を模して、銃床の前後方向左右の両側に設けられている。即ち、ＶＯＬＴＯＲ型の銃のストックは、上部の横断面形状がほぼ三角形になっている部分を有するので、本発明においてはこの形状を模して当該三角形の３つの角の中央部分に前記長さ調節機構１５の収容部１９を配置し、その左右両角にバッテリー収容部１８ａ、１８ｂを配置している（図１Ｂ、図２参照）。このようなバッテリーの収容構成はＶＯＬＴＯＲ型のみならず、ストックに三角形の横断面構造を有するＬＭＴ型の銃についても同様に適用することができる。
【００１８】
左右のバッテリー収容部１８ａ、１８ｂは銃床の床尾、つまりストックの後端にバッテリー挿入のための開口部２０を開口させている。バッテリー１７は上記左右のバッテリー収容部１８ａ、１８ｂに収まる左右一対のバッテリーパック１７ａ、１７ｂをその端部にて結合した、結合部１７ｃにおいて一体に設けた二又状構造を有しており（図３参照）、バッテリー収容部１８ａ、１８ｂの左右開口部２０、２０の中間に、コネクター端子２１を設置する一方、バッテリー１７の二又状の端部にはバッテリー端子２２を設けた構成を有している。
【００１９】
上記のコネクター端子２１は端子レール２３に接続されており、端子レール２３は長さ調節機構１５が収められる収容部１９の下部に露出して前後方向に設置され、長さ調節機構１５の下部に設置されている接点端子２４と摺接可能に構成されている（図２参照）。図示の例では、レバー１３ｂを操作し、支点１３ｃを中心として戻しばね１３ｄに抗して回転させ、長さ調節機構１５の係合凹部１５ａに対する係合突部１３ａの係合位置を調節することができるが、このようにしてストック１３の突出長さを変化させても、常時、通電状態を維持することができる。
【００２０】
上記銃本体１０のコネクター端子２１の部分と、バッテリー１７の側のバッテリー端子２２の部分には、相互に係合可能な３対より成る係合片２５、２５、２６、２６、２７、２７、２５′、２５′、２６′、２６′、２７′、２７′が上下に並列して設けられている（図４参照）。その内の中間の１対の係合片２６、２６はバッテリー１７を機械的に銃本体１０に接続するためにバッテリー側の係合片２６′、２６′と弾性的に係合する弾性保持構造のみを有し、その上下の２対の係合片２５、２５、２７、２７は機械的接続機能と電気的接続機能を併有している。
【００２１】
特に機械的接続機能と電気的接続機能を併有する２対の係合片２５、２５、２７、２７は、基部側に屈曲させた弾性部２５ａ、２７ａを有しており、バッテリー側係合片２６、２６、２６′、２６′との間で十分な接触圧力を得ている。また、バッテリー側の係合片２６′、２６′には機械的接続手段としての機能だけを求めているので通電機能のために金属部品で形成する必要はなく、図示の例ではバッテリーケーシングを構成する樹脂成型構造の一部として設けている。
【００２２】
上記コネクター端子２１を取り囲むように突設した後端部分２８は、バッテリー収容部１８ａ、１８ｂの左右開口部の中間にあり、バッテリー１７の二又状構造の隙間部２９に収まって両側からバッテリーパック１７ａ、１７ｂによって挟み込まれる構造とされている。装着状態において、バッテリー１７の結合部１７ｃはストック１３の後端１３部よりもやや突き出して、取り出すときに摘めるようになっており、そのバッテリー装着状態でストック１３の後端１３部を覆うカバー３０が取り付けられている。カバー３０には、バッテリー１７の結合部１７ｃが収まる凹部３１と、複数箇所の係合部３２ａ、３２ｂが設けられており、ストック１３の後端１３ｃ側に設けられている係合相手部３３ａ、３３ｂと弾性的に係合するように構成されている。また、符号３４は回路に挿入されているヒューズを示しており、ストック側に配置されている。
【００２３】
このように構成されている本発明に係るバッテリーの着脱装置においては、図３に示したように二又状バッテリー１７の左右一対のバッテリーパック１７ａ、１７ｂを、例えばその端部の結合部１７ｃ側を手に持ち、他端部を左右のバッテリー収容部１８ａ、１８ｂに挿入して取り付ける。挿入の最後の段階において二又状構造のバッテリー１７の係合片２５、２５〜２７′、２７′が相互に係合状態になると、上下２対の係合片２５、２５、２７、２７では機械的接続機能と電気的接続機能が形成されるが、係合片２６、２６、２６′、２６′は弾性的に係合する機械的接続機能のみが形成されることになり、ここにバッテリー１７の装着が完了する（図６参照）。
【００２４】
図２はストック１３にバッテリー１７を装着した状態を示しており、ストック１３の後端１３ｃはカバー３０で覆われる。カバー３０は、複数箇所の係合部３２ａ、３２ｂと係合相手部３３ａ、３３ｂとの弾性的な係合によって装着され、かつ弾性変形によって取り外すことができる。また、バッテリー１７を取り出すときには、図２から明らかなようにその結合部１７ｃの後端がストック１３の後端１３部よりもやや突き出しているので、ここを摘んで行えば良い。
【図面の簡単な説明】
【００２５】
【図１】本発明に係る模擬銃におけるバッテリーの着脱装置の一例を示すもので、Ａは銃本体の側面説明図、Ｂはストック上部の横断面図である。
【図２】同上におけるストック部分の縦断面図である。
【図３】同上装置を示す断面説明図である。
【図４】同上装置の説明図でＡはバッテリー収容部開後端部分の正面図、Ｂはバッテリー端子部分の正面図である。
【図５】同上装置においてバッテリー分離状態を説明する断面図である。
【図６】同上装置においてバッテリー接続状態を説明する拡大断面図である。
【符号の説明】
【００２６】
１０  銃本体
１１  銃身
１２  電動部
１３  ストック
１４  グリップ
１５  長さ調節機構
１６  マガジン
１７  バッテリー
１８  バッテリー収容部
１９  長さ調節機構の収容部
２０  開口部
２１  コネクター端子
２２  バッテリー端子
２３  端子レール
２４  接点端子
２５、２５′、２６、２６′、２７、２７′  係合片
２８  後端部分
２９  隙間部
３０  カバー
３１  凹部
３２ａ、３２ｂ  係合部
３３ａ、３３ｂ  係合相手部
３４  ヒューズ
【図１】
2010121884.tif 000003
【図２】
2010121884.tif 000004
【図３】
2010121884.tif 000005
【図４】
2010121884.tif 000006
【図５】
2010121884.tif 000007
【図６】
2010121884.tif 000008